(57)【要約】【課題】  従来の手袋は、機能性、触感知覚性、防寒性のどれかに特化した性能の物が多く、すべてを同時に考慮して尚、  特に触感知覚性が特に優れた物が見当たらなかった。  そこで、この発明は、機能性、触感知覚性、防寒性を同時にあわせもつ手袋を提供することを課題とする。【解決手段】  以上の課題を解決するために、第一発明は、手袋の掌部分に触感知覚性を高めるための広い地肌露出部分が  あることや、掌部分を紐状,網目状のものと、テープ状、留め具状、大きく地肌露出部分があるものを組み合わせたことを  特徴とする、機能性、触感知覚性、防寒性を同時にあわせもつ手袋である。【選択図】図１
2011202316.tif 000002
【特許請求の範囲】
【請求項１】
親指の指先、第二間接指腹部分、人差し指、中指、薬指、小指の指先、第一間接、第二間接の指腹部分に地肌露出部分があり
指部分を除いた掌部分に３０%以上の広い地肌露出部分があるもので、手袋の掌部分の面を、触感知覚するために紐状,網目状のものと、テープ状
留め具状、広い地肌露出部分があるものを組み合わせた、機能性、触感知覚性、防寒性を同時にあわせもつ手袋。
【請求項２】
手袋の掌部分に触感知覚するための広い地肌露出部分の部分を、適当な開閉手段を掌部分に設けることを特徴とする手袋
請求項1記載の、機能性、触感知覚性、防寒性を同時にあわせもつ手袋。
【発明の詳細な説明】
【技術分野】
【０００１】
この発明は,衣料の、機能性、触感知覚性、防寒性同時にをあわせもつ手袋に関する。
【背景技術】
【０００２】
特許公開2000-355807は、掌側指の孔から指を出す作業がいるため不便だが、当申請は、孔から指を出す作業がいらないので、機能的に勝り、
指の露出加減によっては特許公開2000-355807は触感知覚性、防寒性のどちらかが極端に劣るので、ここが孔と広い地肌露出部分の違いであり、当申請はいままでになかったものである。  
特許公開2008-7904は指部分の防寒性がなく、掌の広い地肌露出部分がないので、当申請にくらべ、触感知覚性が劣るので、当申請はいままでにないものである。。  
従来の手袋は、機能性、触感知覚性、防寒性のどれかに特化した性能の物が多く、すべてを考慮
して尚同時に、特に触感知覚性の優れた物が見当たらなかった。
そこで、この発明は、機能性、触感知覚性、防寒性をあわせもつ手袋を提供することを課題とする。
アームウォーマーとの違いは、アームウォーマーは当申請にくらべ指先の防寒性が低いため  当申請はいままでにないものである。
【０００３】
触感知覚性向上のために手袋の指部分をただ切断したものがあるが、これでは防寒性が下がりすぎてしまっていた。
そこで、図１のように指部分に触感知覚性を高めるための広い地肌露出部分をあけることによって
防寒性が高まり、機能性が向上するので、いままでになかったものである。
【０００４】
従来の手袋で触感知覚性向上のために、孔をあけたものはあっても、図１のように親指の指先、第二間接指腹部分、
人差し指、中指、薬指、小指の指先、第一間接、第二間接の指腹部分に地肌露出部分があり
掌部分に３０%以上の広い地肌露出部分があるもので、手袋の掌部分の面を、触感知覚するために紐状,網目状のものと、テープ状
留め具状、広い地肌露出部分があるものを組み合わせた、機能性、触感知覚性、防寒性を同時にあわせもつ手袋はなかった。
【０００５】
掌に触感知覚性を高めるための広い地肌露出部分があることにより、大きく触感知覚性を高まり
尚、同時に一定の防寒性があるのものはいままでになかった。(使いやすくなって機能性が向上する）孔や穴より効果が高い広い地肌露出部分があることによって
触感知覚性が飛躍的に向上することによって、当申請はいままでになかった、孔や穴と、広い地肌露出部分は違うものである。
広い地肌露出部分の定義づけとして、地肌露出部分が、指部分を除いた掌部分の面積の３０％以上のもの。
【先行技術文献】
【特許文献】
【０００６】
【特許文献１】特許公開２０００−３５５８０７
【特許文献２】特許公開２００８−７９０４
【非特許文献１】アームウォーマー
【発明の概要】
【発明が解決しようとする課題】
【０００７】
従来の手袋は、機能性、触感知覚性、防寒性のどれかに特化した性能の物が多く、すべてを同時に考慮して尚、
特に触感知覚性が特に優れた物が見当たらなかった
【課題を解決するための手段】
【０００８】
以上の課題を解決するために、第一発明は、手袋の掌部分に触感知覚性を高めるための広い地肌露出部
分をあけることや,かわりに掌部分を紐状、テープ状,留め具状,にすること、または触感知覚性を高める
ための広い地肌露出部分と紐状,網目状、テープ状,留め具状のものを組み合わせたこと特徴とする手袋である。
【発明の効果】
【０００９】
第一発明によれば、手袋の掌部分に触感知覚性を高めるための広い地肌露出部分を
あけることや掌部分を紐状のものにすること、また、テープ状と紐状、留め具状、網目状を
組み合わせることによって触感知覚性が高まり防寒性をあわせもつことによって使い勝手のよい
機能性の高い手袋ができる。
【図面の簡単な説明】
【００１０】
【図１】図１の実施形態では、1掌部分の触感知覚性向上のための2広い地肌露出部分である形態。
【図２】図２の実施形態では、1掌部分の触感知覚性向上のために、3紐状、テープ状のものにしたもの。
【図３】図３の実施形態では、1掌部分の触感知覚性向上のための2広い地肌露出部分と3紐状のものにしたもの   テープ状、網目状にしたものを組み合わせた物。
【図４】図４の実施形態では、1掌部分の触感知覚性向上のための2広い地肌露出部分と網目状、テープ状   紐状を組み合わせた物。
【図５】図５は図1の実施形態では、1掌部分の触感知覚性向上のための広い地肌露出部分を適当な開閉手段を掌部分に設けることを特徴とする手袋などで開閉できるタイプの手袋(素材が伸縮性ある場合のチャック閉じ図）
【図６】図６は図1の実施形態ではカバーされていない指先までも覆ったタイプ。（使い勝手は減少するが防寒性が   高いタイプ）
【図７】図７実施形態では、1掌部分の触感知覚性向上のために2地肌の露出面を大きくしたもの。
【図８】図８の実施形態では各指の第１関節と第２関節の間まで(指先半分）指先を露出させた形態。
【図９】図９の実施形態では各指の第１関節と第２関節の間まで(指先半分）指先を露出させた別形態。
【図１０】図１０は手の図６以外の甲を示す
【図１１】図１１は図６の甲を示す
【００１１】
符号の説明  1  手袋本体（掌側）  ２  触感知覚性向上のための広い地肌露出部分  ３  触感知覚性向上のために、網目状や紐状、テープ状のものにしたもの、留め具状のもの  ４  掌の広い地肌露出部分を閉じる留め具。
【発明を実施するための形態】
【００１２】
親指の指先、第二間接指腹部分、人差し指、中指、薬指、小指の指先、第一間接、第二間接の指腹部分に地肌露出部分があり、指部分を除いた
掌部分に３０%以上の広い地肌露出部分があるもので、手袋の掌部分の面を、触感知覚するために紐状,網目状のものと、テープ状
留め具状、広い地肌露出部分があるものを組み合わせた、機能性、触感知覚性、防寒性を同時にあわせもつ手袋。
【００１３】
この発明の一実施形態を、図1に示す。
手袋の本体1は皮や布や合成繊維の生地でできており、この本体1の掌部分の生地が
触感知覚性向上のための広い地肌露出部分があり、触感知覚性向上がはかられている。
ケース2として、掌部分が紐状、テープ状のケースも明記するものである。
ケース3として、掌部分が触感知覚性向上のための広い地肌露出部分ものと紐状のもの
テープ状,網目状のものを組み合わせた形態。
【００１４】
この実施形態によれば、掌部分の触感知覚性向上のための広い地肌露出部分の効果により、触感知覚性向上が大幅に向上して、
こまやかな作業がしやすく、なおかつ、各指の第一関節まで覆われているため
一定の防寒性もある。
【実施例１】
【００１５】
1  手袋本体（掌側）に  ２  触感知覚性向上のための広い地肌露出部分があるもの。
2  手袋本体（掌側）に  ２  触感知覚性向上のための広い地肌露出部分がある部分に  ４  掌の広い地肌露出部分を閉じる留め具がついたもの。
【００１６】
図１は、本発明本体の1実施例の掌面の平面図であって、図２、図３、図４、図５、図６、図７、図８、図９は
図１を応用した実施例の平面図である。
【産業上の利用可能性】
【００１７】
本発明は衣料品の使用快適性を向上することに関し、詳しくは手袋の
掌部分に触感知覚するための広い地肌露出部分をあけた手袋又は、手袋の掌部分に触感知覚
するために紐状、テープ状のものにした手袋又は、網目状、紐状、テープ状のものと広い地肌露出部分
をあけることを  組み合わせた手袋より、機能性、触感知覚性、防寒性をあわせもつ手袋を
つくりだすことにより、冷え性や低気温のなかでの手作業を
防寒性  触感知覚性をもったまま、快適に(機能的に）作業できることに関する。
特に低気温の中でのパソコン作業や携帯電話、ゲームコントローラーなど高い触感知覚性を求められる軽作業に最適。
素材の強度や耐久性が弱い場合は地肌露出部分まわりを補強することが必要。
触感知覚するための地肌露出部分の形や大きさはさまざまであり、図１から図9の
地肌露出部分の形や大きさは基本形の形や大きさである。
【符号の説明】
【００１８】
１  手袋本体（掌側）  
２  触感知覚性向上のための広い地肌露出部分  
３  触感知覚性向上のために、網目状や紐状、テープ状のものにしたもの。
４  掌の広い地肌露出部分を閉じる留め具。
【図１】
2011202316.tif 000003
【図２】
2011202316.tif 000004
【図３】
2011202316.tif 000005
【図４】
2011202316.tif 000006
【図５】
2011202316.tif 000007
【図６】
2011202316.tif 000008
【図７】
2011202316.tif 000009
【図８】
2011202316.tif 000010
【図９】
2011202316.tif 000011
【図１０】
2011202316.tif 000012
【図１１】
2011202316.tif 000013